(57)【要約】 【課題】  仮設トイレのボックスを構成する側壁パネルのうち、２つ以上の側壁パネルを一体的にブロー成形し、部品点数を減らすとともに、金型の点数を減らし、製造コストを下げる。【解決手段】  ボックス２の前面の側壁パネル４ａ、右面の側壁パネル５及び後面の側壁パネル７ａを１つのブロー成形体として成形し、前面の側壁パネル４ｂ、左面の側壁パネル６及び後面の側壁パネル７ｂを１つのブロー成形体として成形し、これらを組み合わせてボックス２を構成する。２つのブロー成形体は白抜き矢印の箇所で左右対称的に配置されている。各ブロー成形体において、隣接する側壁パネルは、２重壁が相互に圧着して形成された薄肉のヒンジ部を介して一体的に連接され、該ヒンジ部において屈曲又は展開自在とされる。展開したときはほぼ平面となり、搬送又は保管のスペースが低減できる。【選択図】  図２
2005248553.tif 000002
【特許請求の範囲】
【請求項１】
前面、左右両面及び後面がいずれも２重壁ブロー成形体からなる側壁パネルによって構成され、一部又は全部のコーナー部において、隣接する側壁パネルが、２重壁が相互に圧着して形成された薄肉のヒンジ部を介して一体的に連接され、該ヒンジ部において屈曲又は展開自在とされていることを特徴とする仮設トイレのボックス。
【請求項２】
一体的に連接された複数個の側壁パネルからなる構造体が、２組組み合わされて構成されることを特徴とする請求項１に記載された仮設トイレのボックス。
【請求項３】
前記２組の構造体は同じ構造のブロー成形体からなることを特徴とする請求項２に記載された仮設トイレのボックス。
【請求項４】
前記２組の構造体は、前後、左右、又は斜の対称位置に配置されていることを特徴とする請求項３に記載された仮設トイレのボックス。
【請求項５】
前記ブロー成形体において、前面及び後面の側壁パネルには、２重壁が相互に圧着して形成された薄肉の部分がドアの外形に沿ってコの字形状に形成され、前面の側壁パネルにおいては薄肉の部分でドア相当部分が切り抜かれ、後面の側壁パネルにおいては切り抜かれないままとされることを特徴とする請求項３又は４に記載された仮設トイレのボックス。
【請求項６】
前記コの字形状の縦のラインの箇所において薄肉の部分を残し、これをドアのヒンジとして用いることを特徴とする請求項５に記載された仮設トイレのボックス。
【請求項７】
前記ブロー成形体において、前面及び後面の側壁パネルには、２重壁が相互に圧着して形成された薄肉の部分がドアの外形に沿って矩形状に形成され、前面の側壁パネルにおいては薄肉の部分でドア相当部分が切り抜かれ、後面の側壁パネルにおいては切り抜かれないままとされることを特徴とする請求項３又は４に記載された仮設トイレのボックス。
【請求項８】
前記矩形状の一方の縦のラインの箇所において薄肉の部分を残し、これをドアのヒンジとして用いることを特徴とする請求項７に記載された仮設トイレのボックス。
【請求項９】
前記ブロー成形体において、前面及び後面の側壁パネルには、２重壁が相互に圧着して形成された薄肉の部分がドアの外形に沿って矩形状に形成され、前面の側壁パネルにおいては矩形状の一方の縦のラインの箇所を残して、前記薄肉の部分が切り抜かれ、前記薄肉の部分の内側がドアとして利用され、後面の側壁パネルにおいては切り抜かれないままとされることを特徴とする請求項３又は４に記載された仮設トイレのボックス。
【発明の詳細な説明】
【技術分野】
【０００１】
本発明は、土木建築現場や公園、イベントの開催場所等に仮設置される仮設トイレのボックスに関する。
【背景技術】
【０００２】
仮設トイレは、下記特許文献１に示すように、便槽の上に平らなフロアパネルとステップ及び便器を置き、その周囲を前面ドア付きの四角いボックスで囲繞している。特許文献１では、ボックスを構成する前面、左右両面及び後面の側壁パネルを２重壁ブロー成形体で構成しているが、これはブロー成形体が安価で頑丈であり、かつ２重壁の内側に空気層を有することから断熱性に優れるためである。
仮設トイレは、レンタル業者等のもとで不使用時に保管するとき、必要に応じて個々の部品に分解される。従って、下記特許文献２，３に記載されているように、分解、組立が簡単で、かつ保管がしやすいことが求められている。
【０００３】
【特許文献１】特開平８−８４６８７号公報
【特許文献２】特開平１１−１０１００８号公報
【特許文献３】特願平６−２６９１５１号公報
【発明の開示】
【発明が解決しようとする課題】
【０００４】
特許文献１に記載された従来の仮設トイレは、次のような問題があった。
（１）ボックスを４つの別の側壁パネルで構成しているため、分解及び組立に時間がかかる。
（２）多数の仮設トイレを分解して保管する場合、同じ部品同士をまとめて保管し、ボックスの側壁パネルについても同じものを積み重ねて保管するのであるが、４つの側壁パネルを別々に積み重ねるため、広い保管スペースが必要である。
（３）側壁パネルをブロー成形によって製造する際に、前面、左右両面及び後面の各側壁パネルに対応する４つの金型が必要であり、これにより仮設トイレの製造コストが高くなっている。
（４）各側壁パネルは一枚板で自立しないため、倒れないように支持する人手が必要であり、現地での組み立てがしにくい。
本発明は、これらの問題点を解決するためになされたものである。
【課題を解決するための手段】
【０００５】
本発明に係る仮設トイレのボックスは、前面、左右両面及び後面がいずれも２重壁ブロー成形体からなる側壁パネルによって構成され、一部又は全部のコーナー部において、隣接する側壁パネルが、２重壁が相互に圧着して形成された薄肉のヒンジ部を介して一体的に連接され、該ヒンジ部において屈曲又は展開自在とされていることを特徴とする。
望ましくは、前記ボックスは、一体的に連接された複数個の側壁パネルからなる構造体が２組組み合わされて構成される。さらに望ましくは、前記２組の構造体は同じ構造のブロー成形体からなり、該２組の構造体は前後、左右、又は斜の対称位置に配置される。
【０００６】
前記２組の構造体が同じ構造のブロー成形体からなる場合、該ブロー成形体において、前面及び後面の側壁パネルには、２重壁が相互に圧着して形成された薄肉の部分がドアの外形に沿ってコの字形状に形成され、前面の側壁パネルにおいては薄肉の部分でドア相当部分が切り抜かれ、後面の側壁パネルにおいては切り抜かれないままとされる。この場合、前記コの字形状の縦のラインの箇所において薄肉の部分を残し、これをドアのヒンジとして用いることもできる。
あるいは、前記ブロー成形体において、前面及び後面の側壁パネルには、２重壁が相互に圧着して形成された薄肉の部分がドアの外形に沿って矩形状に形成され、前面の側壁パネルにおいては薄肉の部分でドア相当部分が切り抜かれ、後面の側壁パネルにおいては切り抜かれないままとされる。この場合、前記矩形状の一方の縦のラインの箇所において薄肉の部分を残し、これをドアのヒンジとして用いる。
あるいは、前記ブロー成形体において、前面及び後面の側壁パネルには、２重壁が相互に圧着して形成された薄肉の部分がドアの外形に沿って矩形状に形成され、前面の側壁パネルにおいては矩形状の一方の縦のラインの箇所を残して、前記薄肉の部分が切り抜かれ、前記薄肉の部分の内側がドアとして利用され、後面の側壁パネルにおいては切り抜かれないままとされる。
【発明の効果】
【０００７】
本発明によれば、仮設トイレのボックスを構成する２つ以上の側壁パネルが屈曲自在のヒンジを介して一体的に連接しているので、部品点数を減らすことができ、また、ほぼ平らな形状に広げることもできる。従って、保管スペースが大きく節減でき、運搬にも便利である。また、側壁パネルの部品点数が減り、側壁パネルは屈曲状態で自立するので、分解、組立が行いやすくなる。
さらに、２つ以上の側壁パネルを一体的にブロー成形することになるので、金型の点数が減少し、特にボックスを２組の構造体（一体的に連接された複数個の側壁パネルからなる構造体）で構成し、かつ前記２組の構造体が同じ構造のブロー成形体から得られるようにすれば、ボックスの側壁パネルについては金型は１つで済む。
【発明を実施するための最良の形態】
【０００８】
以下、図１〜図２１を参照し、本発明に係る仮設トイレのボックスについて説明する。
図１、２に示す仮設トイレは、便槽１と、その上に設置した四角いボックス２及び天井壁３からなる。ボックス２は、前面、左右両面及び後面の側壁パネル４〜７により構成され、前面の側壁パネル４にはドア８が取り付けられている。このボックス２は、それぞれ一体のブロー成形体からなる構造体Ａ，Ｂからなり、構造体Ａは前面の側壁パネル４の一部（右半分）４ａ、右面の側壁パネル５及び後面の側壁パネル７の一部（右半分）７ａからなり、構造体Ｂは前面の側壁パネル４の一部（左半分）４ｂ、左面の側壁パネル６及び後面の側壁パネル７の一部（左半分）７ｂからなる。構造体Ａ，Ｂは便槽１の上に左右対称位置（面対称位置）に配置されていて、その境界を図２に白抜き矢印で示している。
【０００９】
構造体Ａは、図３に示すブロー成形体Ａ０からなる。このブロー成形体Ａ０は、３個の２重壁ブロー成形体パネルが薄肉の溶着部１１，１２を介して一体的に連接したもので、図３において中央のパネルは側壁パネル５そのもの、右側のパネルは側壁パネル７ａそのものである。左側のパネルは、側壁パネル４ａの内側にコの字形状に形成された薄肉の溶着部１３を介してドア相当部分１４（ただしドア８の半分の幅）が形成されたものである。このブロー成形体Ａ０は溶着部１３の部分が切り抜かれ、ドア相当部分１４が切除されて、構造体Ａが完成する。なお、溶着部１１，１２は、図３（ｃ）に示すように、ブロー成形体の２重壁が相互に圧着して形成された薄肉の部分であり、その部分は可撓性を有し、それぞれ側壁パネル４ａと側壁パネル５の間及び側壁パネル５と側壁パネル７ａの間でヒンジとして機能する。
構造体Ｂは同じくブロー成形体Ａ０から得られ、構造体Ａと同じ構造を有する。ただし、ボックス２に組み立てるとき、上下逆向きに設置される。
このボックス２では、構造体Ａにドア８が取り付けられる。ドア８はヒンジ１５を介して側壁パネル４ａに取り付けられているが、溶着部１３を全て切除せず、ドア相当部分１４を切除するときコの字形状の縦のラインの箇所を残しておいて、残した溶着部１３にドア８を取り付け、該溶着部１３をヒンジとして利用することもできる。この場合、溶着部１３のコの字形状の縦のラインの幅を広めに形成しておくことが望ましい。
【００１０】
図４，５に示す仮設トイレにおいて、ボックス２は、前面、左右両面及び後面の側壁パネル２４〜２７により構成され、前面の側壁パネル２４にはドア２８が一体的に取り付けられている。このボックス２は、それぞれ一体のブロー成形体からなる構造体Ａ，Ｂからなり、構造体Ａは前面の側壁パネル２４の一部（ドア２８の左端までの部分）２４ａ、右面の側壁パネル２５及び後面の側壁パネル２７の一部２７ａからなり、構造体Ｂは前面の側壁パネル２４の一部２４ｂ、左面の側壁パネル２６及び後面の側壁パネル２７の一部２７ｂからなる。構造体Ａ，Ｂは便槽１の上に斜の対称位置（１８０度回転対称位置）に配置されていて、その境界を図５に白抜き矢印で示している。
【００１１】
構造体Ａは、図６（ａ）に示すブロー成形体Ａ０からなる。このブロー成形体Ａ０は、３個の２重壁ブロー成形体パネルが薄肉の溶着部１１，１２を介して一体的に連接したもので、図６（ａ）において中央のパネルは側壁パネル２５そのもの、右側のパネルは側壁パネル２７ａそのものである。左側のパネルは、側壁パネル２４ａの内側にコの字形状に形成された薄肉の溶着部１３を介してドア相当部分（溶着部１３を切り抜くことによりドア２８となる）が形成されたものである。このブロー成形体Ａ０は溶着部１３の部分がコの字形状の縦のラインの箇所を残して切り抜かれ、構造体Ａが完成する。なお、溶着部１１〜１３は、図６（ｃ）に示すように、ブロー成形体の２重壁が相互に圧着して形成された薄肉の部分であり、その部分は可撓性を有し、それぞれ側壁パネル２４ａと側壁パネル２５の間、側壁パネル２５と側壁パネル２７ａの間及び側壁パネル２４ａとドア２８との間でヒンジとして機能する。
一方、構造体Ｂはブロー成形体Ａ０とほぼ同じ外形のブロー成形体Ｂ０から得られるが、該ブロー成形体Ｂ０には、ブロー成形体Ａ０において形成されていた溶着部１３に相当するものが形成されていない。すなわち、図６（ｄ）に示すように、ブロー成形体Ｂ０は、３個の２重壁ブロー成形体パネルが薄肉の溶着部１１，１２を介して一体的に連接したもので、中央のパネルは側壁パネル２６そのもの、右側のパネルは側壁パネル２７ｂそのもの、左側のパネルは側壁パネル２４ｂそのものである。
【００１２】
図７に示すボックス２は、図４，５に示したボックスと基本的に同じであるが、構造体Ｂとして図６（ａ），（ｂ）に示すブロー成形体Ａ０を用いた点において、図４，５に示したボックスと異なる。ただし、図７のボックス２においては、構造体Ｂは構造体Ａと異なり、溶着部１３は全く切り抜かれず、ブロー成形体Ａ０がそのまま用いられる。
この場合、溶着部１３のコの字形状の窪みが後面の側壁パネル２７に表れるが、ブロー成形の金型が１つで済む利点がある。
【００１３】
図８，９に示す仮設トイレにおいて、ボックス２は、前面、左右両面及び後面の側壁パネル３４〜３７により構成され、前面の側壁パネル３４にはドア３８が一体的に取り付けられている。このボックス２は、それぞれ一体のブロー成形体からなる構造体Ａ，Ｂからなり、構造体Ａは前面の側壁パネル３４、右面の側壁パネル３５からなり、構造体Ｂは左面の側壁パネル３６及び後面の側壁パネル３７からなる。構造体Ａ，Ｂは便槽１の上に斜の対称位置（１８０度回転対称位置）に配置されていて、その境界を図９に白抜き矢印で示している。
【００１４】
構造体Ａは、図１０（ａ）に示すブロー成形体Ａ０からなる。このブロー成形体Ａ０は、２個の２重壁ブロー成形体パネルが薄肉の溶着部１１を介して一体的に連接したもので、図１０（ａ）において右側のパネルは側壁パネル３５そのもの、左側のパネルは、側壁パネル３４の内側に矩形状に形成された薄肉の溶着部１３を介してドア相当部分（溶着部１３を切り抜くことによりドア３８となる）が形成されたものである。このブロー成形体Ａ０は溶着部１３の部分が矩形状の縦のラインの箇所の一方（右側）を残して切り抜かれ、構造体Ａが完成する。なお、溶着部１１〜１３は、ブロー成形体の２重壁が相互に圧着して形成された薄肉の部分であり、その部分は可撓性を有し、それぞれ側壁パネル３４と側壁パネル３５の間、側壁パネル３４とドア３８との間でヒンジとして機能する。
一方、構造体Ｂはブロー成形体Ａ０とほぼ同じ外形のブロー成形体Ｂ０から得られるが、該ブロー成形体Ｂ０には、ブロー成形体Ａ０において形成されていた溶着部１３に相当するものが形成されていない。すなわち、図１０（ｃ）に示すように、ブロー成形体Ｂ０は、２個の２重壁ブロー成形体パネルが薄肉の溶着部１１を介して一体的に連接したもので、右側のパネルは側壁パネル３７そのもの、左側のパネルは側壁パネル３６そのものである。
【００１５】
図１１に示すボックス２は、図８，９に示したボックスと基本的に同じであるが、構造体Ｂとして図１０（ａ），（ｂ）に示すブロー成形体Ａ０を用いた点において、図８，９に示したボックスと異なる。ただし、図１１のボックス２においては、構造体Ｂは構造体Ａと異なり、溶着部１３は全く切り抜かれず、ブロー成形体Ａ０がそのまま用いられる。
この場合、溶着部１３の矩形状の窪みが後面の側壁パネル３７に表れるが、ブロー成形の金型が１つで済む利点がある。
【００１６】
図１２，１３に示す仮設トイレにおいて、ボックス２は、前面、左右両面及び後面の側壁パネル４４〜４７により構成され、前面の側壁パネル４４にはドア４８が一体的に取り付けられている。このボックス２は、それぞれ一体のブロー成形体からなる構造体Ａ，Ｂからなり、構造体Ａは前面の側壁パネル４４、右面の側壁パネル４５の一部（前半分）４５ａ及び左面の側壁パネル４６の一部（前半分）４６ａからなり、構造体Ｂは後面の側壁パネル４７、右面の側壁パネル４５の一部（後半分）４５ｂ及び左面の側壁パネル４６の一部（後半分）４６ｂからなる。構造体Ａ，Ｂは便槽１の上に前後対称位置（面対称位置）に配置されていて、その境界を図１３に白抜き矢印で示している。
【００１７】
構造体Ａは、図１４に示すブロー成形体Ａ０からなる。このブロー成形体Ａ０は、３個の２重壁ブロー成形体パネルが薄肉の溶着部１１，１２を介して一体的に連接したもので、図１４において右側のパネルは側壁パネル４５ａそのもの、左側のパネルは側壁パネル４６ａそのもの、中央のパネルは側壁パネル４４の内側に矩形状に形成された薄肉の溶着部１３を介してドア相当部分（溶着部１３を切り抜くことによりドア４８となる）が形成されたものである。このブロー成形体Ａ０は溶着部１３の部分が矩形状の縦のラインの箇所の一方（右側）を残して切り抜かれ、構造体Ａが完成する。なお、溶着部１１〜１３は、ブロー成形体の２重壁が相互に圧着して形成された薄肉の部分であり、その部分は可撓性を有し、それぞれ側壁パネル４４と側壁パネル４５ａの間、側壁パネル４４と側壁パネル４６ａの間及び側壁パネル４４とドア４８との間でヒンジとして機能する。
一方、構造体Ｂはブロー成形体Ａ０とほぼ同じ外形のブロー成形体Ｂ０から得られるが、該ブロー成形体Ｂ０には、ブロー成形体Ａ０において形成されていた溶着部１３に相当するものが形成されていない。すなわち、図１４（ｃ）に示すように、ブロー成形体Ｂ０は、３個の２重壁ブロー成形体パネルが薄肉の溶着部１１，１２を介して一体的に連接したもので、右側のパネルは側壁パネル４５ｂそのもの、左側のパネルは側壁パネル４６ｂそのもの、中央のパネルは側壁パネル４７そのものである。
【００１８】
図１５に示すボックス２は、図１２，１３に示したボックスと基本的に同じであるが、構造体Ｂとしてブロー成形体Ａ０を用いた点において、図１２，１３に示したボックスと異なる。ただし、図１５のボックス２においては、構造体Ｂは構造体Ａと異なり、溶着部１３は全く切り抜かれず、図１４（ａ），（ｂ）に示すブロー成形体Ａ０がそのまま用いられる。
この場合、溶着部１３の矩形状の窪みが後面の側壁パネル４７に表れるが、ブロー成形の金型が１つで済む利点がある。
【００１９】
図１６に示すボックス２は、図１，２に示したボックスの変形であり、前面の側壁パネル５４は単なる縦長の側壁パネル５４ａ，５４ｂからなり、側壁パネル４にみられるようなのような上下の枠部分（図１に４ｃ，４ｄにて示す）がない。その点でのみ、図１，２に示したボックスと異なる。
このボックスを構成する構造体Ａは、図１７に示すブロー成形体Ａ０からなり、これは３個の２重壁ブロー成形体パネルが薄肉の溶着部１１，１２を介して一体的に連接したものである。構造体Ｂも同形状であり、これらの構造体Ａ，Ｂが便槽１の上に左右対称位置（面対称位置）に配置されている。なお、５５は右面の側壁パネル、５７ａは後面の側壁パネルの一部である。
【００２０】
図１８に示すボックス２は、図１，２に示したボックスの変形であり、前面の側壁パネル６４（６４ａ，６４ｂ）が、それぞれ左右の側壁パネル６５，６６と連続したパネル（コーナー部が湾曲したパネル）として形成されている。その点でのみ、図１，２に示したボックスと異なる。
【００２１】
図１９，２０に示すボックス２は、図１，２に示したボックスの変形であり、ドア７８を取り付けたヒンジ７９が、薄肉の溶着部８３と２重壁部８４からなり、２重壁部８４にドア７８が固定されている。その点でのみ、図１，２に示したボックスと異なる。図１，２に示したボックスにおいても、薄肉の溶着部１３をドアヒンジとして利用し得ることを説明した（段落００１０）が、ヒンジ７９はそれに代わるものである。
このボックス２は、それぞれ一体のブロー成形体からなる構造体Ａ，Ｂからなり、構造体Ａは前面の側壁パネル７４の一部（右半分）７４ａ、右面の側壁パネル７５及び後面の側壁パネル７７の一部（右半分）７７ａからなり、構造体Ｂは前面の側壁パネル７４の一部（左半分）７４ｂ、左面の側壁パネル７６及び後面の側壁パネル７７の一部（左半分）７７ｂからなる。構造体Ａ，Ｂは便槽１の上に左右対称位置（面対称位置）に配置されていて、その境界を図２に白抜き矢印で示している。
【００２２】
構造体Ａは、図２１に示すブロー成形体Ａ０からなる。このブロー成形体Ａ０は、３個の２重壁ブロー成形体パネルが薄肉の溶着部１１，１２を介して一体的に連接したもので、図２１において中央のパネルは側壁パネル７５そのもの、右側のパネルは側壁パネル７７ａそのものである。左側のパネルは、側壁パネル７４ａの内側にコの字形状に形成された薄肉の溶着部８３を介してドア相当部分１４（ただしドア７８の半分の幅）が形成されたものである。コの字状の溶着部８０の縦のラインの幅がやや広くされ、その中に縦に薄い２重壁部（非溶着部）８１が島状に形成されている。
このブロー成形体Ａ０は溶着部８３が２重壁部８４を残すようにコの字形状に切り抜かれ、ドア相当部分１４が切除されて、構造体Ａが完成する。
構造体Ｂは、同じくブロー成形体Ａ０から得られる。ただし、構造体Ｂにおいては、溶着部８０及び２重壁部８１を全て除去する。また、構造体Ｂは、ボックス２に組み立てるとき、上下逆向きに設置される。
【図面の簡単な説明】
【００２３】
【図１】本発明に係る仮設トイレの正面図である。
【図２】そのボックス部分の断面図である。
【図３】ボックスを構成するブロー成形体の平面図（ａ）、その断面図（ｂ）及びその一部拡大図（ｃ）である。
【図４】本発明に係る別の仮設トイレの正面図である。
【図５】そのボックス部分の断面図である。
【図６】ボックスを構成するブロー成形体の平面図（ａ）、その断面図（ｂ）、その一部拡大図（ｃ）及び別のブロー成形体の断面図（ｄ）である。
【図７】本発明に係る別の仮設トイレのボックス部分の断面図である。
【図８】本発明に係る別の仮設トイレの正面図である。
【図９】そのボックス部分の断面図である。
【図１０】ボックスを構成するブロー成形体の平面図（ａ）、その断面図（ｂ）及び別のブロー成形体の断面図（ｃ）である。
【図１１】本発明に係る別の仮設トイレのボックス部分の断面図である。
【図１２】本発明に係る別の仮設トイレの正面図である。
【図１３】そのボックス部分の断面図である。
【図１４】ボックスを構成するブロー成形体の平面図（ａ）、その断面図（ｂ）及び別のブロー成形体の断面図（ｃ）である。
【図１５】本発明に係る別の仮設トイレのボックス部分の断面図である。
【図１６】本発明に係る別の仮設トイレの正面図である。
【図１７】ボックスを構成するブロー成形体の平面図（ａ）及びその断面図（ｂ）である。
【図１８】本発明に係る別の仮設トイレのボックス部分の断面図である。
【図１９】本発明に係る別の仮設トイレの正面図である。
【図２０】そのボックス部分の断面図である。
【図２１】ボックスを構成するブロー成形体の平面図（ａ）、その断面図（ｂ）及びその一部拡大図である。
【符号の説明】
【００２４】
１  便槽
２  ボックス
３  天井壁
４〜７，２４〜２７，３４〜３７，４４〜４７，５４，５５、６４〜６６，７４〜７７，４ａ，４ｂ，７ａ，７ｂ，２４ａ，２４ｂ，２７ａ，２７ｂ，４５ａ，４５ｂ，４６ａ，４６ｂ，５４ａ，５７ａ，６４ａ，６４ｂ，７４ａ，７４ｂ，７７ａ，７７ｂ  側壁パネル
１１〜１３，８３  溶着部
【図１】
2005248553.tif 000003
【図２】
2005248553.tif 000004
【図３】
2005248553.tif 000005
【図４】
2005248553.tif 000006
【図５】
2005248553.tif 000007
【図６】
2005248553.tif 000008
【図７】
2005248553.tif 000009
【図８】
2005248553.tif 000010
【図９】
2005248553.tif 000011
【図１０】
2005248553.tif 000012
【図１１】
2005248553.tif 000013
【図１２】
2005248553.tif 000014
【図１３】
2005248553.tif 000015
【図１４】
2005248553.tif 000016
【図１５】
2005248553.tif 000017
【図１６】
2005248553.tif 000018
【図１７】
2005248553.tif 000019
【図１８】
2005248553.tif 000020
【図１９】
2005248553.tif 000021
【図２０】
2005248553.tif 000022
【図２１】
2005248553.tif 000023